(57)【要約】【課題】柔軟性を有する握持部を形成した釣竿において、外観の向上が図れるとともに、握持部における握持性や操作性の向上が図れる釣竿を提供する。【解決手段】本発明の釣竿は、繊維強化樹脂製の竿本体２ａに柔軟性を有する握持部１１を形成している。握持部１１には、軸方向に連続しかつ深さが軸方向で変化する凹部３０Ａ〜３０Ｆによる模様を形成したことを特徴とする。【選択図】図２
2014147330.tif 000002
【特許請求の範囲】
【請求項１】
繊維強化樹脂製の竿本体に柔軟性を有する握持部を形成した釣竿であって、
前記握持部に、軸方向に連続しかつ深さが軸方向で変化する凹部による模様を形成したことを特徴とする釣竿。
【請求項２】
前記凹部は、軸方向と交差する方向に指向する部位を有することを特徴とする請求項１に記載の釣竿。
【請求項３】
前記握持部は、軸方向に沿って肉厚が変化しており、
前記凹部は、握持部の肉厚変化に応じて深さが変化することを特徴とする請求項１又は２に記載の釣竿。
【請求項４】
前記握持部は、前記竿本体の中心軸を同心として円形状に形成されており、
前記凹部は、握持部の肉厚が薄いほど浅く形成されていることを特徴とする請求項３に記載の釣竿。
【請求項５】
前記凹部は、レーザ光を照射することで形成されていることを特徴とする請求項１から４のいずれか１項に記載の釣竿。
【発明の詳細な説明】
【技術分野】
【０００１】
本発明は、釣竿に関し、詳細には、握持部に文字や図柄など（以下、模様と総称する）を施した釣竿に関する。
【背景技術】
【０００２】
通常、釣竿の元竿部分に形成される握持部（グリップ）は、握り心地が良好となるように、合成樹脂や発泡性の樹脂、或いは天然コルク等、握持性に優れた材料が用いられている。また、釣竿の外面には、各種の模様を施すことが行われており、例えば、特許文献１には、上記した握持部に対して、レーザマーキングによって凹状の模様（凹部による模様）を形成することが開示されている。
【先行技術文献】
【特許文献】
【０００３】
【特許文献１】特開２００２−３０６０２９号
【発明の概要】
【発明が解決しようとする課題】
【０００４】
上記した特許文献１に開示されているように、握持部に、レーザマーキングによって凹状の模様を形成することにより、外観の向上が図れるとともに摩耗によって模様が消失するようなことは無く、更には、凹部を形成することで握持した手がかかり易くなって、握った際の滑り止め効果が得られるものと考えられる。
【０００５】
しかし、単にレーザマーキングによる凹部の形成だけでは、外観の向上や滑り止めの効果が得られるのみであり、握持性や操作性を考慮すると、更に改善する余地がある。
【０００６】
本発明は、上記した問題に着目してなされたものであり、柔軟性を有する握持部を形成した釣竿において、外観の向上が図れるとともに、握持部における握持性や操作性の向上が図れる釣竿を提供することを目的とする。
【課題を解決するための手段】
【０００７】
上記した目的を達成するために、本発明に係る釣竿は、繊維強化樹脂製の竿本体に柔軟性を有する握持部を形成しており、前記握持部に、軸方向に連続しかつ深さが軸方向で変化する凹部による模様を形成したことを特徴とする。
【０００８】
上記した構成の釣竿によれば、握持部に形成される凹部による模様によって外観の向上が図れるとともに、握持した際、凹部が引っ掛かり、操作性の向上が図れるようになる。また、模様となる凹部は、軸方向に連続しており、かつ、その深さを軸方向で変化させているため、柔軟性を有する握持部の硬度を軸方向で変化させることが可能となり、これによって、握持する手の位置に応じて適切な握り心地にすることができ、握持性、操作性をさらに向上することが可能となる。
【０００９】
なお、上記した構成において、模様を構成する軸方向に連続する凹部は、一つの凹部が軸方向に亘って連続的に形成されたものであっても良いし、軸方向に沿って所定の文字列を形成する等、軸方向に沿って断続的に形成されたものであっても良い。この場合、前者の構成では、凹部の深さが軸方向に移行するに従って変化するように形成されていれば良い。また、後者の構成では、例えば、文字列を例示すると、軸方向に隣接する文字を構成するそれぞれの凹部の深さが軸方向に沿って異なるように形成されていても良いし、１つの文字を構成している凹部が、軸方向に沿ってその深さが変化するように形成されていても良い。さらに、凹部の変化のさせ方についても、テーパ状に変化させたり、段階的に変化させても良い。
【００１０】
また、柔軟性を有する握持部の外形状については、軸方向に沿って竿本体を均一に囲繞するもの、軸方向に沿って肉厚が変化するもの、竿本体の軸芯（中心軸）と同心状に形成されるもの、竿本体の軸芯（中心軸）に対して偏芯して形成されるもの、断面形状が楕円形状になっているもの、部分的に平坦面を有するもの等、特定の形状に限定されることはない。このため、凹部による模様は、そのような握持部の外表面のいずれかの部分に、軸方向に沿って形成されていれば良く、それが外表面の全周に亘って螺旋状に形成されていても良いし、ある方向から平面視した際に、その平面内で視認できるように形成されていても良い。
【発明の効果】
【００１１】
本発明の釣竿によれば、握持部に凹状の模様を形成することで、釣竿として外観の向上が図れるようになり、凹部の深さを軸方向に沿って変化させることで、握持性や操作性の向上が図れるようになる。
【図面の簡単な説明】
【００１２】
【図１】本発明に係る釣竿の一実施形態を示す図。
【図２】図１に示す釣竿において、握持部の部分を拡大して示す図。
【図３】（ａ）は、図２のＡ−Ａ線に沿った断面図、（ｂ）は、図２のＢ−Ｂ線に沿った断面図。
【図４】握持部の軸方向に沿った断面図。
【図５】握持部に形成される模様（凹部）の変形例を示しており、軸方向に沿った断面図。
【図６】図５に示す握持部を握り込んだ状態を示す断面図。
【図７】凹部によって形成される模様の一例を示す図。
【図８】凹部によって形成される模様の別の例を示す図。
【発明を実施するための形態】
【００１３】
以下、図面を参照しながら本発明に係る釣竿について説明する。  
図１から図４は、本発明に係る釣竿の一実施形態を示す図であり、図１は、釣竿の全体構成を示す図、図２は、図１に示す釣竿において、握持部の部分を拡大して示す図、図３（ａ）は、図２のＡ−Ａ線に沿った断面図、図３（ｂ）は、図２のＢ−Ｂ線に沿った断面図。そして、図４は、握持部の軸方向に沿った断面図である。
【００１４】
本実施形態の釣竿１は、使用に際して握持、保持される握持部１１，１２（以下において、前方握持部１１、後方握持部１２とも称する）を有する元竿２と、元竿２と継合する先竿３の２本の竿杆（竿本体）を備えており、各竿杆は、公知の継合構造（並継構造等）によって分離されるとともに、軸方向に沿って所定間隔で釣糸ガイド５を取着した構成となっている。この場合、釣竿の構造については、例えば、３本以上の竿杆を有するもの、振出構造によって各竿杆が元竿に収納されるもの、或いは釣竿全体が１本竿で構成される等、対象魚や使用目的に応じて適宜変形される。
【００１５】
本実施形態における前記竿杆２，３は、それを構成する竿本体（本体）２ａ，３ａが、エポキシ樹脂、ポリエステル樹脂等の合成樹脂をマトリックスとし、炭素繊維やガラス繊維等の強化繊維で強化したプリプレグを巻回して形成される繊維強化樹脂製の管状体（図３参照）として構成されている。この場合、各竿杆２，３については、その本体が中実状（ソリッド体）に構成されたものであっても良いし、管状体とソリッド体を含んだ構成であっても良い。
【００１６】
前記元竿２には、前方握持部１１と後方握持部１２との間に、リールシート２０が形成されており、後方側に固定フード２１、前方側にナット２２を介して軸方向に沿って移動できる移動フード２３が配置され、魚釣用リール（図示せず）の脚部を固定できるように構成されている。
【００１７】
前記元竿（竿本体）２に形成される握持部１１，１２は、釣竿を操作する際に握持、保持される部分であり、握り心地が良いように柔軟性を有する素材、例えばコルク、ゴム、発泡性を有する合成樹脂（例えば、ＥＶＡ，発泡性ポリウレタンなど）によって形成されており、軸方向所定の長さに亘って本体２ａの外周面を囲繞するように被着されている。
【００１８】
本実施形態では、図２及び図３に示すように、元竿２の本体２ａは略ストレート状の管状体として形成され、前方握持部１１については、本体２ａの中心軸（軸方向Ｘ）を中心として同心状に円形に形成されるとともに、後方に向けて次第に径方向に膨出する形状に形成されている。また、後方握持部１２についても、図１に示すように、後方に向けて次第に径方向に膨出する形状に形成されている。この場合、本体２ａを構成する管状体は、軸方向に亘って同径に形成されていても良いし、後端側に向けて次第に拡径するテーパ状に形成されていても良い。また、このような管状体を囲繞する握持部１１，１２については、軸方向に亘って肉厚を等しくして、略ストレート状（ストレート状を含む）に形成しても良い。
【００１９】
前記握持部１１，１２には、その外表面に模様３０，３３が形成されている。ここで図２から図４を参照して、前方握持部１１に形成される模様３０について説明する。
【００２０】
前記模様３０は、握持部１１の外表面に所定の方法で、軸方向に連続する凹部３０Ａ〜３０Ｆを形成することで構成されている。本実施形態の模様３０は、握持部１１の外表面に略９０°間隔で４箇所、同一の形態で形成されており、各模様３０は、軸方向に沿って延出するとともに、軸方向と交差する方向にも指向するように形成されている。具体的には、軸方向に延び、かつ、軸方向と交差する方向に指向する部位を有するように、略三日月形状に形成された凹部３０Ａ〜３０Ｆが、ジグザグ状に連なるように形成されることで１つの模様３０を構成している。なお、ここでの「交差する方向に指向」とは、握持した手を軸方向Ｘに滑らせたときに、引っ掛かりが生じる部分であり、図２で示す構成では、各凹部３０Ａ〜３０Ｆのエッジ部位３１が該当する。
【００２１】
本実施形態では、握持部１１の外径は、後方に移行するに従い拡径しており（Ｒ１＞Ｒ２）、かつ、その肉厚についても、後方に移行するに従い厚肉化している（Ｔ１＞Ｔ２）。また、軸方向に連続形成される凹部３０Ａ〜３０Ｆは、図４に示すように、握持部１１の厚肉側（後方側）の深さが薄肉側（前方側）よりも深くなるように形成されている（Ｄ１＞Ｄ２＞Ｄ３＞Ｄ４＞Ｄ５＞Ｄ６）。
【００２２】
すなわち、模様３０を構成する凹部３０Ａ〜３０Ｆは、軸方向に沿って深さが変化するように形成されており、本実施形態では、肉厚が変化する厚肉部１１の肉厚変化に応じて深さが変化するように形成されている（肉厚が厚くなる後方側の方が深く形成される）。この場合、各凹部３０Ａ〜３０Ｆの深さは、それぞれを同一としているが、各凹部のそれぞれにおいても、例えば、後方に移行するに従って次第に深くなるように形成しても良い。
【００２３】
上記した模様３０を構成する凹部については、熱や圧をかけて加工する、型押等によって形成することが可能であるが、ＹＡＧレーザやＣＯ2 レーザを使用するレーザマーキング装置によって形成することが好ましい。すなわち、レーザマーキング装置を用いることで、所定のデータに基づいて、握持部の表面にレーザ光を照射して所定の部位を消失させることで所望の模様（深さ、形状）を精度良く形成することが可能となる。この場合、握持部に対して軸方向にレーザ光を照射するに当たり、照射するレーザ光のレーザパワー、照射時間、照射角度等を制御することによって、その深さを軸方向に沿って容易に変更することが可能となる。
【００２４】
上記したような模様を握持部に形成した釣竿によれば、以下のような作用効果が得られる。  
握持部１１に形成される凹部による模様３０によって外観の向上が図れるとともに、握持した際、凹部３０Ａ〜３０Ｆが引っ掛かり、グリップ性及びフィット感が良くなり、操作性の向上が図れるようになる。特に、本実施形態のように、各凹部は、軸方向と交差する方向に指向する部位（図２に示すエッジ部位３１）を有するため、握持した際に軸方向にも滑り難くなる。
【００２５】
また、模様となる凹部３０Ａ〜３０Ｆは、軸方向に連続しており、かつ、その深さを軸方向で変化させているため、柔軟性を有する握持部の硬度を軸方向で変化させることが可能となる。具体的には、凹部を深く形成することで、その部分を柔らかくすることができるとともに、凹部を浅く形成することで、それよりも硬くすることができるため、握持する手の位置に応じて凹部の深さを変えることで適切な握り心地にすることが可能となり、握持性及び操作性をより向上することが可能となる。
【００２６】
特に、本実施形態における握持部１１は、軸方向に沿って肉厚が変化（後方側が厚肉化している）しており、そこに形成される凹部を、握持部の肉厚変化に応じて深さが変化する（後方側が深い）ようにしているため、滑り難くすることに加え、肉厚に応じてより柔らかくしたり、硬くすることが可能となる。また、握持部１１の形状を、竿本体２の中心軸を同心として円形状に形成し、凹部については、握持部１１の肉厚が薄いほど浅く形成しているため、握持部の細径部でも柔軟性を維持しつつ、滑り難くすることができる。
【００２７】
図５及び図６は、握持部に形成される模様（凹部）の変形例を示しており、図５は軸方向に沿った断面図、図６は図５に示す握持部を握り込んだ状態を示す断面図である。
【００２８】
この変形例における模様３０Ａは、握持部１１に、軸方向に沿って深さが次第に変化する凹部３０Ｈを有している。前記凹部３０Ｈは、握持部１１の肉厚変化に応じて深さがテーパ状に変化しており、肉厚が薄い側（竿先側；親指を支点として操作する部分）では浅く、厚い側（基端側；握り込む部分）では深くなるように、連続して深さが変化するように形成されている。
【００２９】
このような構成では、図６に示すように、握持した際、掌側では柔軟性が向上して握り込み易くなり、指先側では、硬度を高くしてある程度の柔軟性が維持できることから、操作性の向上が図れると共に、竿本体２ａに対する感度の向上が図れる。
【００３０】
図７は、上述した握持部１２に形成される模様３３の構成を示している。  
前記模様３３は、握持部１２の外表面に、軸方向に連続してジグザグ状に指向する円弧状の凹部３３Ａ〜３３Ｌを形成することで構成されている。この模様３３は、握持部１２の外表面に形成されており、握持部１２を平面視することで、その模様全体を視認できるように形成されている。
【００３１】
前記凹部３３Ａ〜３３Ｌは、前方から後方に移行するに従い、深さが深くなるように形成されており、これにより前記実施形態と同様、滑り難く、操作性の向上が図れるようになる。なお、各凹部３３Ａ〜３３Ｌについては、それぞれ同一の深さであっても良いし、部分的に深さが変化するように形成しても良い（例えば、各円弧部分の鋭角状になっている部位が先に行く程浅くなるように形成しても良い）。
【００３２】
また、上記した模様３３は、グリップ１２を平面視することで全体が視認できるように構成されているが、図８に示すように、グリップ１２の外表面に沿って、軸方向に螺旋状に形成しても良い。
【００３３】
以上、本発明の実施形態について説明したが、本発明は、上記した実施形態に限定されることは無く、適宜変形することが可能である。  
【００３４】
例えば、模様を構成する凹部は、軸方向に沿って深さを変化させる以外にも、幅を変化させても良い。すなわち、図３に示すように、握持部が厚肉化する後方部位の幅を幅広に形成しても良く（Ｗ１＞Ｗ２）、深さを変えることに加え、幅を変化させても良いし、幅のみを変化させるようにしても良い。また、握持部の肉厚との関係では、上述した実施形態とは逆に、肉厚が薄い方の凹部を深くなるように形成しても良い。さらに、模様については、凹部の部分に色彩を付したり、大きさが異なる複数の模様や文字を配列したものであっても良い。
【符号の説明】
【００３５】
１  釣竿
２，３  竿杆
２ａ，３ａ  竿本体
１１，１２  握持部
３０，３０Ａ，３３  模様
３０Ａ〜３０Ｆ  凹部
３３Ａ，３３Ｌ  凹部
【図１】
2014147330.tif 000003
【図２】
2014147330.tif 000004
【図３】
2014147330.tif 000005
【図４】
2014147330.tif 000006
【図５】
2014147330.tif 000007
【図６】
2014147330.tif 000008
【図７】
2014147330.tif 000009
【図８】
2014147330.tif 000010